(57)【要約】【課題】本発明は、ユーザが容易にタッチ操作を行うことが可能な表示制御装置および表示制御方法を提供することを目的とする。【解決手段】本発明による表示制御装置１は、タッチパネルの操作面に対するユーザの操作に関する操作情報を取得する操作情報取得部２を備え、タッチパネルの操作面上の表示は、操作の対象となる部品を含む階層を複数重畳してなる情報の表示を含み、操作情報取得部２にて取得された操作情報に基づいて、操作面上の表示を制御し、各階層に対する操作の有効または無効を制御する制御部３をさらに備え、制御部３は、ユーザが操作を行う場合において、操作におけるタッチ開始した操作面の位置に部品が存在するか否かを階層ごとに確認し、部品が存在する階層のうち一の階層に対する操作を有効とし、有効とした階層以外の階層に対する操作を無効とするように制御することを特徴とする。【選択図】図１
2016148965.tif 000002
【特許請求の範囲】
【請求項１】
タッチパネルの操作面に対するユーザの操作に関する操作情報を取得する操作情報取得部を備え、
前記タッチパネルの操作面上の表示は、前記操作の対象となる部品を含む階層を複数重畳してなる情報の表示を含み、
前記操作情報取得部にて取得された前記操作情報に基づいて、前記操作面上の表示を制御し、各前記階層に対する前記操作の有効または無効を制御する制御部をさらに備え、
前記制御部は、前記ユーザが前記操作を行う場合において、前記操作におけるタッチ開始した前記操作面の位置に前記部品が存在するか否かを前記階層ごとに確認し、前記部品が存在する前記階層のうち一の前記階層に対する前記操作を有効とし、前記有効とした前記階層以外の前記階層に対する前記操作を無効とするように制御することを特徴とする、表示制御装置。
【請求項２】
前記制御部は、前記操作におけるタッチ開始した前記操作面の位置に前記部品が存在するか否かを予め定められた順序で前記階層ごとに確認し、前記部品が存在する前記階層のうち前記順序が先の前記階層に対する前記操作を有効とするように制御することを特徴とする、請求項１に記載の表示制御装置。
【請求項３】
前記制御部は、前記ユーザが前記操作におけるタッチ終了した場合において、前記無効とされた前記階層に対する前記操作を有効とするように制御することを特徴とする、請求項１または２に記載の表示制御装置。
【請求項４】
前記表示制御装置は、車載用であることを特徴とする、請求項１から３のいずれか１項に記載の表示制御装置。
【請求項５】
前記情報は、地図情報であることを特徴とする、請求項１から４のいずれか１項に記載の表示制御装置。
【請求項６】
（ａ）タッチパネルの操作面に対するユーザの操作に関する操作情報を取得する工程を備え、
前記タッチパネルの操作面上の表示は、前記操作の対象となる部品を含む階層を複数重畳してなる情報の表示を含み、
（ｂ）前記工程（ａ）にて取得された前記操作情報に基づいて、前記操作面上の表示を制御し、各前記階層に対する前記操作の有効または無効を制御する工程をさらに備え、
前記工程（ｂ）は、前記ユーザが前記操作を行う場合において、前記操作におけるタッチ開始した前記操作面の位置に前記部品が存在するか否かを前記階層ごとに確認し、前記部品が存在する前記階層のうち一の前記階層に対する前記操作を有効とし、前記有効とした前記階層以外の前記階層に対する前記操作を無効とするように制御することを特徴とする、表示制御方法。
【発明の詳細な説明】
【技術分野】
【０００１】
本発明は、操作の対象となる部品を含む階層を複数重畳してなる情報の表示を制御する表示制御装置および表示制御方法に関する。
【背景技術】
【０００２】
近年、表示パネルはタッチ操作可能なものが採用されており、例えばカーナビゲーション装置において地図画面に対してタッチ操作が可能となっている。ここで、タッチ操作とは、いわゆるジェスチャー操作を含む概念であり、タッチ開始からリリース（タッチ終了）までの一連の動作のことをいう。
【０００３】
カーナビゲーション装置の地図画面には、地図だけでなく、方位アイコン（地図の方位を変更するアイコン）、縮尺アイコン（地図の縮尺を変更するアイコン）など、操作の対象となる部品が表示されている。このような地図画面では、一般的に複数の階層が重畳して表示され、例えばアイコンを表示する階層、および地図を表示する階層が重畳して表示される。例えば、ユーザが地図をスクロールする操作を行う場合において、スクロールの操作中にアイコンをタッチすると当該スクロールが中断されてアイコンの操作が行われてしまう（すなわち、ユーザが意図しない操作が行われてしまう）ため、ユーザは操作領域を考慮した操作を行う必要があった。
【０００４】
上記の問題を解決するために、従来、タッチの種別に基づいて操作対象となる階層を判断する技術が開示されている（例えば、特許文献１，２参照）。
【先行技術文献】
【特許文献】
【０００５】
【特許文献１】特開２０１３−５８２５０号公報
【特許文献２】特開２０１３−１３１１９０号公報
【発明の概要】
【発明が解決しようとする課題】
【０００６】
特許文献１，２では、ユーザが表示画面を注視してタッチ操作することを前提としている。しかし、カーナビゲーション装置などの車載の表示装置では、走行開始、走行中、停止中、ＩＣ（インターチェンジ）通過中、緊急車両の接近中など、周囲の状況によっては表示画面を注視することが困難になることがある。従って、車載の表示装置に特許文献１，２の技術を採用した場合において、ユーザは表示画面を注視しながらタッチ操作することが難しいという問題があった。
【０００７】
本発明は、このような問題を解決するためになされたものであり、ユーザが容易にタッチ操作を行うことが可能な表示制御装置および表示制御方法を提供することを目的とする。
【課題を解決するための手段】
【０００８】
上記の課題を解決するために、本発明による表示制御装置は、タッチパネルの操作面に対するユーザの操作に関する操作情報を取得する操作情報取得部を備え、タッチパネルの操作面上の表示は、操作の対象となる部品を含む階層を複数重畳してなる情報の表示を含み、操作情報取得部にて取得された操作情報に基づいて、操作面上の表示を制御し、各階層に対する操作の有効または無効を制御する制御部をさらに備え、制御部は、ユーザが操作を行う場合において、操作におけるタッチ開始した操作面の位置に部品が存在するか否かを階層ごとに確認し、部品が存在する階層のうち一の階層に対する操作を有効とし、有効とした階層以外の階層に対する操作を無効とするように制御することを特徴とする。
【０００９】
また、本発明による表示制御方法は、（ａ）タッチパネルの操作面に対するユーザの操作に関する操作情報を取得する工程を備え、タッチパネルの操作面上の表示は、操作の対象となる部品を含む階層を複数重畳してなる情報の表示を含み、（ｂ）工程（ａ）にて取得された操作情報に基づいて、操作面上の表示を制御し、各階層に対する操作の有効または無効を制御する工程をさらに備え、工程（ｂ）は、ユーザが操作を行う場合において、操作におけるタッチ開始した操作面の位置に部品が存在するか否かを階層ごとに確認し、部品が存在する階層のうち一の階層に対する操作を有効とし、有効とした階層以外の階層に対する操作を無効とするように制御することを特徴とする。
【発明の効果】
【００１０】
本発明によると、表示制御装置は、タッチパネルの操作面に対するユーザの操作に関する操作情報を取得する操作情報取得部を備え、タッチパネルの操作面上の表示は、操作の対象となる部品を含む階層を複数重畳してなる情報の表示を含み、操作情報取得部にて取得された操作情報に基づいて、操作面上の表示を制御し、各階層に対する操作の有効または無効を制御する制御部をさらに備え、制御部は、ユーザが操作を行う場合において、操作におけるタッチ開始した操作面の位置に部品が存在するか否かを階層ごとに確認し、部品が存在する階層のうち一の階層に対する操作を有効とし、有効とした階層以外の階層に対する操作を無効とするように制御するため、ユーザが容易にタッチ操作を行うことが可能となる。
【００１１】
また、表示制御方法は、（ａ）タッチパネルの操作面に対するユーザの操作に関する操作情報を取得する工程を備え、タッチパネルの操作面上の表示は、操作の対象となる部品を含む階層を複数重畳してなる情報の表示を含み、（ｂ）工程（ａ）にて取得された操作情報に基づいて、操作面上の表示を制御し、各階層に対する操作の有効または無効を制御する工程をさらに備え、工程（ｂ）は、ユーザが操作を行う場合において、操作におけるタッチ開始した操作面の位置に部品が存在するか否かを階層ごとに確認し、部品が存在する階層のうち一の階層に対する操作を有効とし、有効とした階層以外の階層に対する操作を無効とするように制御するため、ユーザが容易にタッチ操作を行うことが可能となる。
【図面の簡単な説明】
【００１２】
【図１】本発明の実施の形態による表示制御装置の構成の一例を示すブロック図である。
【図２】図１に対応するハードウェア構成の一例を示す図である。
【図３】本発明の実施の形態による表示制御装置の構成の他の一例を示すブロック図である。
【図４】本発明の実施の形態による案内情報階層の一例を示す図である。
【図５】本発明の実施の形態によるアイコン階層の一例を示す図である。
【図６】本発明の実施の形態による地図情報階層の一例を示す図である。
【図７】本発明の実施の形態による案内情報階層、アイコン階層、および地図情報階層の表示の一例を示す図である。
【図８】本発明の実施の形態による案内情報階層、アイコン階層、および地図情報階層の関係の一例を示す図である。
【図９】本発明の実施の形態による表示制御装置の動作の一例を示すフローチャートである。
【図１０】本発明の実施の形態による表示制御装置の動作の一例を示すフローチャートである。
【図１１】本発明の実施の形態による表示制御システムの構成の一例を示すブロック図である。
【図１２】本発明の実施の形態による表示制御システムの構成の他の一例を示すブロック図である。
【発明を実施するための形態】
【００１３】
本発明の実施の形態について、図面に基づいて以下に説明する。
【００１４】
＜実施の形態＞
まず、本発明の実施の形態による表示制御装置の構成について説明する。なお、本実施の形態においては、表示制御装置単体で実現した場合について説明する。
【００１５】
図１は、本実施の形態による表示制御装置１の構成の一例を示すブロック図である。なお、図１では、表示制御装置１を構成する必要最小限の構成要素を示している。
【００１６】
図１に示すように、表示制御装置１は、少なくとも操作情報取得部２と制御部３とを備えている。
【００１７】
操作情報取得部２は、タッチパネルの操作面に対するユーザの操作に関する情報である操作情報を取得する。操作情報は、ユーザがタッチパネルの操作面にタッチした位置（タッチ操作の位置）に関する情報、およびタッチ操作の種別に関する情報を含む。ここで、タッチ操作の種別としては、例えばタップ操作、フリック操作、スライド操作などが挙げられる。
【００１８】
制御部３は、操作情報取得部２にて取得された操作情報に基づいて、タッチパネルの操作面上の表示を制御し、各階層に対する操作の有効または無効を制御する。ここで、タッチパネルの操作面上の表示は、操作の対象となる部品を含む階層を複数重畳してなる情報の表示を含む。また、制御部３は、ユーザが操作を行う場合において、操作におけるタッチ開始した操作面の位置に部品が存在するか否かを階層ごとに確認し、部品が存在する階層のうち一の階層に対する操作を有効とし、有効とした階層以外の階層に対する操作を無効とするように制御する。ここで、部品とは、操作の対象となる要素のことをいい、例えばタッチ操作によって地図全体をスクロールする場合における当該地図、上記のようなアイコン、テロップなどを含む。
【００１９】
図２は、図１に対応するハードウェア構成の一例を示す図である。
【００２０】
操作情報取得部２および制御部３は、例えば図２のプロセッサ４がメモリ５等に記憶されたプログラムを実行することにより、当該プロセッサ４の機能として実現される。ただし、これらは、例えば複数のプロセッサ４が連携して実現されてもよい。
【００２１】
次に、図１の操作情報取得部２および制御部３を含む表示制御装置１の他の構成について説明する。
【００２２】
図３は、表示制御装置６の構成の一例を示すブロック図である。なお、表示制御装置６およびディスプレイ装置１５は、車両内に搭載（車載）されているものとする。
【００２３】
図３に示すように、表示制御装置６は、操作情報取得部２と、制御部３と、操作コマンド認識部７と、地図情報取得部８と、現在位置取得部９とを備えている。また、操作情報取得部２はディスプレイ装置１５の操作検知部１７と接続され、制御部３はディスプレイ装置１５の画面表示部１６と接続され、地図情報取得部８は地図ＤＢ（database）１０と接続されている。
【００２４】
ディスプレイ装置１５は、画面表示部１６と操作検知部１７とを備えている。具体的には、ディスプレイ装置１５は、表示部とタッチパネルとが一体に構成されている。画面表示部１６は、表示部に対応しており、表示制御装置６の制御部３から入力された情報（ここでは地図に関する情報）を表示する。操作検知部１７は、タッチパネルに備えられており、ユーザがタッチパネルの操作面にタッチ操作したことを検出する。検出した情報は、タッチパネルの操作面に対するユーザのタッチ操作に関する操作情報として表示制御装置６の操作情報取得部２に出力される。ここで、操作検知部１７としては、例えば静電容量センサーなどが挙げられる。
【００２５】
操作情報取得部２は、操作検知部１７から操作情報を取得する。取得した操作情報は、操作コマンド認識部７に出力される。
【００２６】
操作コマンド認識部７は、操作情報取得部２から入力された操作情報に含まれるタッチ操作の位置の履歴に基づいて、タッチ操作の種別を認識する。認識したタッチ操作の種別に関する情報、およびタッチ操作の位置に関する情報は、階層制御部１４に出力される。
【００２７】
制御部３は、案内情報階層生成部１１と、アイコン階層生成部１２と、地図情報階層生成部１３と、階層制御部１４とを備えている。
【００２８】
図示しない記憶部が画面表示部１６に表示すべき地図に関するユーザに報知すべき種々の案内情報を画像または文字として保持しており、案内情報階層生成部１１は、記憶部に保持された案内情報に基づいて、案内情報を表示する階層である案内情報階層１８を生成する。図４では、案内情報として、交差点における案内図を表示する案内情報階層１８の例を示している。
【００２９】
図示しない記憶部が画面表示部１６に表示すべき種々のアイコンを画像として保持しており、アイコン階層生成部１２は、記憶部に保持されたアイコンを表示する階層であるアイコン階層１９を生成する。図５では、アイコンとして、現在時刻を示す時計アイコン、画面に表示されている地図の方位（ノースアップまたはヘディングアップ）の切り替え操作を行うための方位アイコン、および地図の縮尺を変更する操作を行うための縮尺変更アイコンを表示するアイコン階層１９の例を示している。ここで、アイコン階層１９に表示されるアイコンは、地図に関連する機能と対応付けられたアイコン（方位アイコン、縮尺変更アイコン）、および地図に関連しない機能と対応付けられたアイコン（時計アイコン）とを含んでいる。
【００３０】
地図情報階層生成部１３は、地図情報取得部８にて取得された画面表示部１６に表示すべき地図情報に基づいて、地図を表示する階層である地図情報階層２０を生成する。また、地図情報階層生成部１３は、地図情報取得部８にて取得された画面表示部１６に表示すべき地図情報と、現在位置取得部９にて取得された現在位置に基づいて、自車両の現在位置周辺の地図を表示する地図情報階層２０を生成する。図６では、地図として道路（図中の曲線）と自車両（黒三角印）とを含む自車両の現在位置周辺の地図を表示する地図情報階層２０の例を示している。
【００３１】
制御部３は、案内情報階層生成部１１にて生成された案内情報階層１８と、アイコン階層生成部１２にて生成されたアイコン階層１９と、地図情報階層生成部１３にて生成された地図情報階層２０とを予め定められた配列順に重畳して画面表示部１６に出力するように制御する。図７は、案内情報階層１８、アイコン階層１９、および地図情報階層２０を画面表示部１６に表示した場合の一例を示す図である。また、図８は、案内情報階層１８、アイコン階層１９、および地図情報階層２０の関係の一例を概念的に示した図である。図８の例では、案内情報階層１８が最上位（画面表示部１６に表示したときに最前面に表示される）の階層であり、地図情報階層２０が最下位（画面表示部１６に表示したときに最背面に表示される）の階層であることを示している。
【００３２】
階層制御部１４は、操作コマンド認識部７から入力された情報に含まれるタッチ操作の位置に関する情報に基づいてタッチ操作の開始位置を把握し、当該開始位置に基づいて操作対象となる部品を含む階層に対する操作を有効とし、その他の階層に対する操作を無効とするように制御する。
【００３３】
地図情報取得部８は、地図ＤＢ１０から地図情報を取得する。
【００３４】
現在位置取得部９は、自車両の現在位置を取得する。例えば、現在位置取得部９は、車内ＬＡＮ（図示せず）を介して、車両内に設けられた各種センサーによって検出されたセンサー情報（車速パルス情報、ジャイロ情報など）、またはＧＰＳ（Global Positioning System）情報などを車両情報として取得し、取得した車両情報に基づいて現在位置を算出することによって、自車両の現在位置を取得する。また、現在位置取得部９は、携帯電話、スマートフォン、またはタブレット端末等から有線または無線の通信を介して自車両の現在位置を取得してもよい。
【００３５】
地図ＤＢ１０は、地図情報を記憶している。なお、地図ＤＢ１０は、車両に備えられてもよく、外部に設けられてもよい。地図ＤＢ１０は、例えば、ハードディスク、ＤＶＤまたはメモリースティック等である。なお、案内情報またはアイコンを記憶する記憶部は、地図ＤＢ１０であってもよい。
【００３６】
なお、図３に示す表示制御装置６において、操作情報取得部２、制御部３、操作コマンド認識部７、地図情報取得部８、現在位置取得部９、案内情報階層生成部１１、アイコン階層生成部１２、地図情報階層生成部１３、および階層制御部１４は、例えば図２のプロセッサ４がメモリ５等に記憶されたプログラムを実行することにより、当該プロセッサ４の機能として実現される。ただし、これらは、例えば複数のプロセッサ４が連携して実現されてもよい。
【００３７】
次に、表示制御装置６の動作について、図９，１０を用いて説明する。なお、図９，１０の動作は、ユーザがタッチ操作を行うごとに行われる。
【００３８】
図９は、表示制御装置６のタッチ操作の階層制御処理の一例を示すフローチャートである。
【００３９】
操作検知部１７から操作情報が出力されると、表示制御装置６はタッチ操作の階層制御処理を開始し、ステップＳ１１において、操作情報取得部２は、操作検知部１７から操作情報を取得し、当該操作情報を操作コマンド認識部７に出力する。
【００４０】
ステップＳ１２において、操作コマンド認識部７は、操作情報取得部２から入力された操作情報に基づいて、ユーザがタッチパネルの操作面に対して行ったタッチ操作の種別を認識する。
【００４１】
ステップＳ１３において、階層制御部１４は、操作コマンド認識部７から入力された情報に基づいてタッチ操作の開始位置を把握し、当該開始位置に基づいて操作対象となる部品を含む階層を特定する。
【００４２】
ステップＳ１４において、階層制御部１４は、特定された階層に対するタッチ操作を有効にし、その他の階層に対するタッチ操作を無効にする。例えば、図５に示すアイコン階層１９と、図６に示す地図情報階層２０とが重畳して画面表示部１６に表示されている場合において、ユーザがアイコン階層１９のアイコンに対してタッチ操作すると、階層制御部１４は、アイコン階層１９に対するタッチ操作を有効にし、地図情報階層２０に対するタッチ操作を無効にする。
【００４３】
ステップＳ１５において、制御部３は、ステップＳ１２にて認識されたタッチ操作の種別に基づいて、ユーザがタッチした操作対象となる部品に対応付けられた機能を実行する。例えば、アイコン階層１９のアイコンに対して行われたタッチ操作に基づいて、タッチ操作されたアイコンに対応付けられた機能が実行される（例えば、画面表示部１６の表示内容を変更する）。このように、タッチ操作は、有効にした階層に対してのみ機能し、無効にした階層に対しては機能しない。
【００４４】
ステップＳ１６において、階層制御部１４は、ユーザによるタッチ操作が終了したか否の判断を行う。具体的には、階層制御部１４は、操作コマンド認識部７から入力される情報に含まれるタッチ操作の位置に関する情報に基づいて、ユーザがタッチパネルの操作面に接触させている指等の指示体を当該操作面から離したときを、タッチ操作が終了したと判断する。タッチ操作が終了するまで待機し、タッチ操作が終了するとステップＳ１７に移行する。
【００４５】
ステップＳ１７において、階層制御部１４は、全ての階層に対するタッチ操作を有効にすると、表示制御装置６はタッチ操作の階層制御処理を終了する。
【００４６】
図１０は、図９のステップＳ１３における動作の詳細を示すフローチャートである。
【００４７】
ステップＳ２１において、階層制御部１４は、タッチ操作の開始位置に対応する案内情報階層１８の位置に部品が存在するか否かの判断を行う。具体的には、階層制御部１４は、案内情報階層生成部１１に対して、タッチ操作の開始位置に対応する案内情報階層１８の位置に操作対象となる部品が存在するか否かの問い合わせを行う。案内情報階層生成部１１は、階層制御部１４からの問い合わせに対して、操作対象となる部品の存否について応答する。階層制御部１４は、案内情報階層生成部１１からの応答に基づいて、タッチ操作の開始位置に対応する案内情報階層１８の位置に部品が存在するか否かの判断を行う。タッチ操作の開始位置に対応する案内情報階層１８の位置に部品が存在する場合は、ステップＳ２３に移行する。一方、タッチ操作の開始位置に対応する案内情報階層１８の位置に部品が存在しない場合は、ステップＳ２２に移行する。
【００４８】
ステップＳ２２において、階層制御部１４は、タッチ操作の開始位置に対応するアイコン階層１９の位置に部品が存在するか否かの判断を行う。具体的には、階層制御部１４は、アイコン階層生成部１２に対して、タッチ操作の開始位置に対応するアイコン階層１９の位置に操作対象となる部品が存在するか否かの問い合わせを行う。アイコン階層生成部１２は、階層制御部１４からの問い合わせに対して、操作対象となる部品の存否について応答する。階層制御部１４は、アイコン階層生成部１２からの応答に基づいて、タッチ操作の開始位置に対応するアイコン階層１９の位置に部品が存在するか否かの判断を行う。タッチ操作の開始位置に対応するアイコン階層１９の位置に部品が存在する場合は、ステップＳ２４に移行する。一方、タッチ操作の開始位置に対応するアイコン階層１９の位置に部品が存在しない場合は、ステップＳ２５に移行する。
【００４９】
ステップＳ２３において、階層制御部１４は、案内情報階層１８が操作対象となる部品を含む階層であると特定する。
【００５０】
ステップＳ２４において、階層制御部１４は、アイコン階層１９が操作対象となる部品を含む階層であると特定する。
【００５１】
ステップＳ２５において、階層制御部１４は、地図情報階層２０が操作対象となる部品を含む階層であると特定する。
【００５２】
図１０に示すように、階層制御部１４は、タッチ操作の開始位置に対応する各階層の位置に部品が存在するか否かの判断を、上位の階層から順に行っている。なお、上記では、タッチ操作の開始位置に存在する部品が１つの階層にのみ存在する場合について説明したが、これに限るものではない。例えば、タッチ操作の開始位置に存在する部品が複数の階層に存在するであってもよい。この場合、階層制御部１４は、より上位の階層を操作対象となる部品を含む階層であると特定する。
【００５３】
以上のことから、本実施の形態によれば、ユーザは表示画面を注視することなく容易にタッチ操作を行うことが可能となる。特に、ディスプレイ装置および表示制御装置が車両内に搭載されているなど、表示画面を注視しながらタッチ操作することが難しい場合により効果的である。
【００５４】
以上で説明した表示制御装置は、車載用ナビゲーション装置、すなわちカーナビゲーション装置だけでなく、車両に搭載可能なＰＮＤ（Portable Navigation Device）および携帯通信端末（例えば、携帯電話、スマートフォン、およびタブレット端末など）、並びにサーバなどを適宜に組み合わせてシステムとして構築されるナビゲーション装置あるいはナビゲーション装置以外の装置にも適用することができる。この場合、表示制御装置の各機能あるいは各構成要素は、上記システムを構築する各機能に分散して配置される。
【００５５】
具体的には、一例として、表示制御装置の機能をサーバに配置することができる。例えば、図１１に示すように、ユーザ側に図３に示すディスプレイ装置１５と同様の機能を有するディスプレイ装置１５を備え、サーバ２１に図３に示す表示制御装置６と同様の機能を有する各構成要素を備えることによって表示制御システムを構築することができる。なお、サーバ２１に備えられる各構成要素は、適宜にサーバ２１およびディスプレイ装置１５に分散して配置するようにしてもよい。
【００５６】
また、他の一例として、表示制御装置の機能をサーバおよび携帯通信端末に配置することができる。例えば、図１２に示すように、ユーザ側に図３に示すディスプレイ装置１５と同様の機能を有するディスプレイ装置１５を備え、サーバ２２に図３に示す制御部３、地図情報取得部８、および現在位置取得部９を備え、携帯通信端末２３に図３に示す操作情報取得部２および操作コマンド認識部７を備えることによって表示制御システムを構築することができる。このとき、制御部３は、案内情報階層生成部１１にて生成された案内情報階層１８と、アイコン階層生成部１２にて生成されたアイコン階層１９と、地図情報階層生成部１３にて生成された地図情報階層２０とを予め定められた配列順に重畳した情報を画面表示部１６に出力するが、当該情報は、サーバ２２の制御部３から携帯通信端末２３を介してディスプレイ装置１５の画面表示部１６に出力されてもよく、サーバ２２の制御部３からディスプレイ装置１５の画面表示部１６に直接出力してもよい。なお、サーバ２２および携帯通信端末２３に備えられる各構成要素は、適宜にディスプレイ装置１５、サーバ２２、および携帯通信端末２３に分散して配置するようにしてもよい。
【００５７】
上記の構成とした場合であっても、上記の実施の形態と同様の効果が得られる。
【００５８】
また、上記の実施の形態における動作を実行するソフトウェア（表示制御方法）を、例えばサーバや携帯通信端末に組み込んでもよい。
【００５９】
具体的には、一例として、上記の表示制御方法は、（ａ）タッチパネルの操作面に対するユーザの操作に関する操作情報を取得する工程を備え、タッチパネルの操作面上の表示は、操作の対象となる部品を含む階層を複数重畳してなる情報の表示を含み、（ｂ）工程（ａ）にて取得された操作情報に基づいて、操作面上の表示を制御し、各階層に対する操作の有効または無効を制御する工程をさらに備え、工程（ｂ）は、ユーザが操作を行う場合において、操作におけるタッチ開始した操作面の位置に部品が存在するか否かを階層ごとに確認し、部品が存在する階層のうち一の階層に対する操作を有効とし、有効とした階層以外の階層に対する操作を無効とするように制御することを特徴とする。
【００６０】
上記より、上記の実施の形態における動作を実行するソフトウェアをサーバや携帯通信端末に組み込んで動作させることによって、上記の実施の形態と同様の効果が得られる。
【００６１】
なお、図１，３，１１，１２において、操作情報取得部２、制御部３、操作コマンド認識部７、地図情報取得部８、現在位置取得部９、案内情報階層生成部１１、アイコン階層生成部１２、地図情報階層生成部１３の各々は、図２のプロセッサ４がメモリ５等に記憶されたソフトウェアプログラムに従って動作することにより実現された。しかし、これに代えて、操作情報取得部２、制御部３、操作コマンド認識部７、地図情報取得部８、現在位置取得部９、案内情報階層生成部１１、アイコン階層生成部１２、地図情報階層生成部１３の各々は、ハードウェア（例えば、電気信号に対して特定の演算あるいは処理を行うように構成された演算／処理回路等）として構成するようにしてもよい。また、上記の両者を混在させてもよい。
【００６２】
また、ソフトウェアの操作情報取得部２、制御部３、操作コマンド認識部７、地図情報取得部８、現在位置取得部９、案内情報階層生成部１１、アイコン階層生成部１２、地図情報階層生成部１３の各々と、ハードウェアの操作情報取得部２、制御部３、操作コマンド認識部７、地図情報取得部８、現在位置取得部９、案内情報階層生成部１１、アイコン階層生成部１２、地図情報階層生成部１３の各々とを組み合わせた概念として、「部」という語に代えて「処理回路」という語を用いることもできる。
【００６３】
図６では、地図情報階層２０の全面に地図が表示される（すなわち、地図情報階層２０の全面が操作対象となる部品となる）場合を示しているが、これに限るものではない。例えば、地図情報階層２０の一部に地図を表示するようにしてもよい。この場合、図１０において、タッチ操作の開始位置に対応する各階層の位置に操作対象となる部品が存在しないときは、階層制御部１４は、操作対象となる部品を含む階層を特定しなくてもよい（すなわち、全ての階層に対する操作を有効のままにする）。
【００６４】
図１０では、各階層の配列順（図８に示す案内情報階層１８、アイコン階層１９、および地図情報階層２０の順）に、操作対象となる部品を含む階層であるか否かの判断を行う場合について説明したが、これに限るものではない。例えば、階層制御部１４は、アイコン階層１９、案内情報階層１８、および地図情報階層２０の順に判断を行ってもよい。すなわち、各階層の配列の順序と判断の順序とは必ずしも一致させる必要はなく、予め判断の順序さえ決めておけばよい。
【００６５】
図３において、地図情報階層生成部１３は、現在位置取得部９からＧＰＳ情報を取得しなくてもよい。この場合、図６に示す地図情報階層２０には、自車位置（黒三角印）は表示されない。
【００６６】
図３において、表示制御装置は、ナビゲーション機能を有してもよい。
【００６７】
上記では、画面表示部１６に表示される階層が３層である場合について説明したが、これに限るものではなく、複数階層であればよい。例えば、上記の各階層以外に、車両に関する情報（例えば、エンジンの高温異常を知らせる情報）を表示するための階層を設けてもよい。
【００６８】
上記では、画面表示部１６に地図に関する情報（地図情報）を表示する場合について説明したが、これに限るものではなく、複数の階層を有する情報であればよい。
【００６９】
なお、本発明は、その発明の範囲内において、実施の形態を適宜、変形、省略することが可能である。
【符号の説明】
【００７０】
１  表示制御装置、２  操作情報取得部、３  制御部、４  プロセッサ、５  メモリ、６  表示制御装置、７  操作コマンド認識部、８  地図情報取得部、９  現在位置取得部、１０  地図ＤＢ、１１  案内情報階層生成部、１２  アイコン階層生成部、１３  地図情報階層生成部、１４  階層制御部、１５  ディスプレイ装置、１６  画面表示部、１７  操作検知部、１８  案内情報階層、１９  アイコン階層、２０  地図情報階層、２１  サーバ、２２  サーバ、２３  携帯通信端末。
【図１】
2016148965.tif 000003
【図２】
2016148965.tif 000004
【図３】
2016148965.tif 000005
【図４】
2016148965.tif 000006
【図５】
2016148965.tif 000007
【図６】
2016148965.tif 000008
【図７】
2016148965.tif 000009
【図８】
2016148965.tif 000010
【図９】
2016148965.tif 000011
【図１０】
2016148965.tif 000012
【図１１】
2016148965.tif 000013
【図１２】
2016148965.tif 000014